(57)【要約】【課題】パイプ材の曲げ皺の発生を防止するワイパーの磨耗を抑えて、その使用寿命を延ばす。【解決手段】曲げ型１１と、曲げ型１１との間でパイプ材Ｐをクランプするクランプダイ１２と、曲げ型１１の後方に配置され、パイプ材Ｐの外周曲面に摺接するパイプ摺接面１３１を有しパイプ材の曲げ皺の発生を防止するワイパー１３と、を準備する。そして、パイプ材Ｐをクランプダイ１２によりクランプした状態で曲げ型１１を回転中心軸の回りに回転させることにより、パイプ材を曲げ型１１の外周曲面に沿って差し込み、かつワイパー１３をパイプ材Ｐの外周曲面に摺接させながらパイプ材Ｐの曲げ加工を行う。この時、ワイパー１３の内部に設けられた潤滑油通路１３２を介して、パイプ摺接面１３１に潤滑油を供給しながら、パイプ材Ｐの曲げ加工を行う。【選択図】図１
2018202455.tif 000002
【特許請求の範囲】
【請求項１】
曲げ型（１１）と、この曲げ型（１１）との間でパイプ材をクランプするクランプダイ（１２）と、前記曲げ型（１１）の後方に配置され、パイプ材の外周曲面に摺接するパイプ摺接面（１３１）を有しパイプ材の曲げ皺の発生を防止するワイパー（１３）と、を準備し、
前記パイプ材を前記クランプダイ（１２）によりクランプした状態で前記曲げ型（１１）を回転中心軸の回りに回転させることにより、パイプ材を前記曲げ型（１１）の外周曲面に沿って差し込み、かつ前記ワイパー（１３）をパイプ材の外周曲面に摺接させながらパイプ材の曲げ加工を行う、パイプ材の曲げ加工方法において、
前記ワイパー（１３）内部に設けられた潤滑油通路（１３２）を介して、前記パイプ摺接面（１３１）に潤滑油を供給しながら、パイプ材の曲げ加工を行うことを特徴とするパイプ材の曲げ加工方法。
【請求項２】
前記ワイパー（１３）は、裏側にベース溝（１３３ａ）を有するベース（１３３）と、このベース（１３３）の先端部に着脱可能に連結され裏側にガイド溝（１３４ａ）を有するガイド（１３４）と、を備え、
前記ガイド溝（１３４ａ）が前記パイプ摺接面（１３１）を構成しており、前記潤滑油通路（１３２）は前記ベース（１３３）を貫通して前記ベース溝（１３３ａ）の表面に潤滑油出口（１３２ｂ）を有していることを特徴とする請求項１に記載のパイプ材の曲げ加工方法。
【請求項３】
回転中心軸の回りに回転可能な曲げ型（１１）と、
前記曲げ型（１１）との間でパイプ材をクランプするクランプダイ（１２）と、
前記曲げ型（１１）の後方に配置され、パイプ材の外周曲面に摺接するパイプ摺接面（１３１）を有しパイプ材の曲げ皺の発生を防止するワイパー（１３）と、を備え、
前記ワイパー（１３）は、前記パイプ摺接面（１３１）に潤滑油を供給するための潤滑油通路（１３２）を内部に有することを特徴とするパイプ材の曲げ加工装置。
【請求項４】
前記ワイパー（１３）は、裏側にベース溝（１３３ａ）を有するベース（１３３）と、このベース（１３３）の先端部に着脱可能に連結され裏側にガイド溝（１３４ａ）を有するガイド（１３４）と、を備え、
前記ガイド溝（１３４ａ）が前記パイプ摺接面（１３１）を構成しており、前記潤滑油通路（１３２）は前記ベース（１３３）を貫通して前記ベース溝（１３３ａ）の表面に潤滑油出口（１３２ｂ）を有していることを特徴とする請求項３に記載のパイプ材の曲げ加工装置。
【請求項５】
前記ベース溝（１３３ａ）の表面が前記ワイパー（１３）の表側に向かって前記ガイド溝（１３４ａ）の表面より高くなるように、前記ベース溝（１３３ａ）と前記ガイド溝（１３４ａ）との間に段差（１３５）が設けられていることを特徴とする請求項４に記載のパイプ材の曲げ加工装置。
【発明の詳細な説明】
【技術分野】
【０００１】
本発明は、パイプ材の曲げ加工方法及びパイプ材の曲げ加工装置に関する。
【背景技術】
【０００２】
パイプ材の曲げ加工は、例えば、ハイドロフォーミングの予備加工として実施される。特許文献１，２には、パイプ材の曲げ加工により発生する曲げ皺を防止するためのワイパーが記載されている。
【０００３】
この種のワイパーは、ベースの先端にガイドが連結される構造になっており、ガイドの先端のエッジ部から後方側にパイプ摺接面が形成される。パイプ材の曲げ加工時には、曲げ型の後方にエッジ部を隣接させてパイプ材の曲げ内周側の皺の発生を防止している（特許文献１を参照）。
【０００４】
また、この種のワイパーは、パイプ材に、皺、その他の傷を付けないようにするために青銅等の柔らかい素材を使用する必要がある。従って、パイプ加工の回数に応じて磨耗するので、その解決策として、ワイパーをベースとガイドに二分割し、ガイドを、ベースの後端部より挿入した止め具でベースの先端部に固定し、ガイドを交換可能な構造とされている（特許文献２を参照）。
【先行技術文献】
【特許文献】
【０００５】
【特許文献１】特開２０１０−１６７４７０号公報
【特許文献２】特開２０１２−５５９５２号公報
【発明の概要】
【発明が解決しようとする課題】
【０００６】
前述のように、ワイパーをベースとガイドに二分割し、磨耗しやすいガイドだけを交換可能とすることによりコスト削減が図られている。しかしながら、パイプ加工の回数に応じてガイドの磨耗が生じることは避けられなかった。そこで、本発明は、ワイパーの磨耗を抑えて、その使用寿命を延ばすことを目的としている。
【課題を解決するための手段】
【０００７】
上述した課題に鑑み、本発明のパイプ材の曲げ加工方法は、曲げ型（１１）と、この曲げ型（１１）との間でパイプ材をクランプするクランプダイ（１２）と、前記曲げ型の後方に配置され、パイプ材の外周曲面に摺接するパイプ摺接面（１３１）を有しパイプ材の曲げ皺の発生を防止するワイパー（１３）と、を準備し、前記パイプ材を前記クランプダイ（１２）によりクランプした状態で前記曲げ型（１１）を回転中心軸の回りに回転させることにより、パイプ材を前記曲げ型（１１）の外周曲面に沿って差し込み、かつ前記ワイパー（１３）をパイプ材の外周曲面に摺接させながらパイプ材の曲げ加工を行う、パイプ材の曲げ加工方法において、前記ワイパー（１３）内部に設けられた潤滑油通路（１３２）を介して、前記パイプ摺接面（１３１）に潤滑油を供給しながら、パイプ材の曲げ加工を行うことを特徴とする。
【０００８】
また、パイプ材の曲げ加工装置は、回転中心軸の回りに回転可能な曲げ型（１１）と、前記曲げ型（１１）との間でパイプ材をクランプするクランプダイ（１２）と、  前記曲げ型（１１）の後方に配置され、パイプ材の外周曲面に摺接するパイプ摺接面（１３１）を有しパイプ材の曲げ皺の発生を防止するワイパー（１３）と、を備え、前記ワイパー（１３）は、前記パイプ摺接面（１３１）に潤滑油を供給するための潤滑油通路（１３２）を内部に有することを特徴とする。
【発明の効果】
【０００９】
本発明によれば、ワイパーのパイプ摺接面に潤滑油を供給しながら、パイプ材の曲げ加工を行うので、ワイパーの磨耗を抑えることで、その耐久性を向上させ、使用寿命を延ばすことができる。
【００１０】
また、本発明によれば、ワイパー内部に潤滑油通路を設けているので、ワイパー外部に潤滑油供給手段を設ける場合に比べて、ワイパー本体や、曲げ加工装置を小型化することができることに加え、この潤滑油通路に外部から潤滑油を注油すればよいので、作業性にも優れている。
【図面の簡単な説明】
【００１１】
【図１】パイプ材の曲げ加工装置の模式的断面図である。
【図２】ワイパーの表側の斜視図である。
【図３】ワイパーの裏側の斜視図である。
【図４】ワイパーの断面図である。
【発明を実施するための形態】
【００１２】
本発明の実施形態について、図面を参照しながら説明する。図１は、パイプ材の曲げ加工装置の模式的断面図であり、図１（ａ）は、パイプ材Ｐが装置にセットされた状態、図１（ｂ）はパイプ材Ｐの曲げ加工の状態を示す断面図である。
【００１３】
図示のように、パイプ材の曲げ加工装置１０は、パイプ材Ｐの曲げ加工に用いられるもので、回転可能な曲げ型１１、回転駆動手段（不図示）、曲げ型１１との間でパイプ材Ｐをクランプするクランプダイ１２、曲げ型１１の後方に配置されたワイパー１３、及びプッシャーダイ１４を備えている。ワイパー１３はパイプ材Ｐの外周曲面に摺接するパイプ摺接面１３１を有し、パイプ材Ｐを挟持して曲げ皺の発生を防止するためのものである。
【００１４】
曲げ型１１は、一例として、円筒とその周方向に沿って突出し円筒と一体化されたクランプ部１１１から構成され、円筒中心軸の回りに回転可能になっている。クランプダイ１２は、クランプ部１１１に対向する位置に配置され、パイプ材Ｐをクランプし、あるいはクランプを解除するために前後に可動であり、曲げ型１１と連動して回転可能になっている。そして、ワイパー１３の内部には、パイプ摺接面１３１に潤滑油を供給するための潤滑油通路１３２が設けられている。
【００１５】
この曲げ加工装置１０を用いたパイプ材の曲げ加工方法を説明すると、先ず、図１（ａ）に示すように、パイプ材Ｐを曲げ型１１とプッシャーダイ１４の間にセットする。パイプ材Ｐの先端部は曲げ型１１のクランプ部１１１とクランプダイ１２によって挟持される格好でクランプされる。
【００１６】
このセット状態で、ワイパー１３とプッシャーダイ１６は不図示の駆動手段により前進されており、ワイパー１３の本体はパイプ材Ｐの差し込み方向に対して曲げ型１１の後方に配置され、ワイパー１３の先端は曲げ型１１の外周曲面に沿って差し込まれている。ワイパー１３のそのパイプ摺接面１３１はパイプ材Ｐの外周曲面に接している。なお、図示しないが、通常、パイプ材Ｐ内には内径を保持するためにマンドレルが挿入される。
【００１７】
続いて、図１（ｂ）に示すように、曲げ型１１を円筒中心軸の回りに回転させ、パイプ材Ｐを曲げ型１１の外周曲面に沿って差し込み、かつワイパー１３をパイプ材Ｐの外周曲面に摺接させながら、パイプ材Ｐを曲げていく。
【００１８】
この曲げ加工の間、ワイパー１３内部に設けられた潤滑油通路１３２を介して、パイプ摺接面１３１に潤滑油を供給する。これにより、パイプ材Ｐの曲げ内周側の皺の発生が防止されると共に、パイプ摺接面１３１の磨耗が抑えられ、その使用寿命を延ばすことができる。
【００１９】
また、ワイパー１３内部に潤滑油通路１３２を設けているので、ワイパー１３の外部に潤滑油供給手段を設ける場合に比べて、ワイパー１３の本体や、曲げ加工装置１０を小型化することができることに加え、この潤滑油通路１３２に外部から潤滑油を注油すればよいので、曲げ加工の作業性にも優れている。
【００２０】
パイプ材Ｐの曲げ加工が終了した状態で、クランプダイ１２を開放し、ワイパー１５、プッシャーダイ１４を後退させ、加工したパイプ材を曲げ加工装置１０から取り外す。
【００２１】
次に、ワイパー１３の好ましい構造を図２乃至図４に基づいて説明する。ワイパー１３は全体として鞍型の形状であり、裏側にベース溝１３３ａを有するベース１３３と、このベース１３３の先端部に着脱可能に連結され裏側にガイド溝１３４ａを有するガイド１３４とに二分割されている。
【００２２】
ガイド１３４は、先端部から後端部に向かってスロープ形状に競り上がって背凭れ部を形成することで、ガイド１３４の形態は先端部から後端部に向かって、順次、肉厚形状になっている。ガイド１３４は、例えば、ベース１３３の後端部により挿入した不図示のボルト等の止め具によりベース１３３の先端部の取り付け面に固定され、止め具を着脱することにより、ガイド１３４を交換可能としている。
【００２３】
ガイド溝１３４ａはパイプ摺接面１３１を構成しており、パイプ材Ｐの外周曲面を反映した形状になっている。ガイド１３４は、傷を付けないようにするために青銅等の柔らかい素材で構成される。ベース１３３は、パイプ材Ｐに接触しないためステンレス等の硬い素材で構成し、耐久性を向上させることができる。
【００２４】
潤滑油通路１３２は、ベース１３３の後端面からベース１３３の本体肉厚を貫通してベース溝１３３ａの表面に至る。ベース１３３の後端面には潤滑油注入口１３２ａが、ベース溝１３３ａの表面には潤滑油出口１３２ｂが設けられている。
【００２５】
また、図４に示すように、ベース溝１３３ａの表面はワイパー１３の表側に向かってガイド溝１３４ａの表面より高くなるように、ベース溝１３３ａとガイド溝１３４ａとの間に段差１３５が設けられている。これにより、図４に示すように、パイプ材Ｐの曲げ加工の際に、潤滑油出口１３２ｂとパイプ材Ｐの外周曲面の間に隙間ができる。
【００２６】
すると、潤滑油は潤滑油出口１３２ｂからこの隙間に流出し、パイプ材Ｐの外周曲面に付着する。そして、パイプ材Ｐが図４中の矢印の方向に差し込まれていくと、パイプ摺接面１３１が、潤滑油の付着したパイプ材Ｐの外周曲面に摺接するため、パイプ摺接面１３１にも潤滑油が付着することになる。これにより、パイプ摺接面１３１の磨耗を抑えることができる。
【００２７】
この場合、パイプ摺接面１３１の面全体に均一に潤滑油を付着させパイプ摺接面１３１の磨耗を均一に抑制するために、潤滑油通路１３２を複数設けるか、又は１つの潤滑油通路１３２を分岐させて、複数の潤滑油出口１３２ｂを設けることが好ましい。
【符号の説明】
【００２８】
１０  パイプ材の曲げ加工装置
１１  曲げ型
１２  クランプダイ
１３  ワイパー
１４  プッシャーダイ
１１１  クランプ部
１３１  パイプ摺接面
１３２  潤滑油通路
１３２ａ  潤滑油注入口
１３２ｂ  潤滑油出口
１３３  ベース
１３３ａ  ベース溝
１３４  ガイド
１３４ａ  ガイド溝
１３５  段差
【図１】
2018202455.tif 000003
【図２】
2018202455.tif 000004
【図３】
2018202455.tif 000005
【図４】
2018202455.tif 000006